(57)【要約】【課題】様々な画像に対して液晶テレビの表示画像の表示品位を向上させる。【解決手段】液晶パネルと、エリアごとに制御可能なバックライトとを備えており、液晶パネルの領域ごとに、表示画像の動きを検出する動き検出部（２）と、検出した動きに応じて、当該領域に対応するエリアにおけるバックライトの点灯周期を設定する点灯周期制御部（５）と、を備えた表示装置（１）。【選択図】図３
2018045151.tif 000002
【特許請求の範囲】
【請求項１】
液晶パネルと、エリアごとに制御可能なバックライトとを備えた表示装置であって、
上記液晶パネルの領域ごとに、表示画像の動きを検出する動き検出部と、
上記検出した動きに応じて、当該領域に対応するエリアにおけるバックライトの点灯周期を設定する点灯周期制御部と、
を備えていることを特徴とする表示装置。
【請求項２】
上記液晶パネルの領域ごとに、表示画像の輝度を検出する輝度検出部をさらに備えており、
上記点灯周期制御部は、上記検出した動き、および、上記検出した輝度に応じて、上記点灯周期を設定する、
ことを特徴とする請求項１に記載の表示装置。
【請求項３】
上記点灯周期制御部は、
上記検出した動きの速さが所定の値よりも小さい場合に、上記点灯周期を、上記液晶パネルの書き換え周期の半分の周期に設定する第１のモードを適用する、
ことを特徴とする請求項２に記載の表示装置。
【請求項４】
上記点灯周期制御部は、
上記検出した動きの速さが所定の値以上であり、かつ、上記検出した輝度の大きさが所定の輝度値よりも小さい場合に、上記点灯周期を、上記液晶パネルの書き換え周期と同じ周期に設定する第２のモードを適用し、
上記検出した動きの速さが所定の値以上であり、かつ、上記検出した輝度の大きさが所定の輝度値以上である場合に、上記第１のモードを適用する、
ことを特徴とする請求項３に記載の表示装置。
【請求項５】
液晶パネルと、エリアごとに制御可能なバックライトとを備えた表示装置のバックライト制御方法であって、
上記液晶パネルの領域ごとに、表示画像の動きを検出する動き検出ステップと、
上記検出した動きに応じて、当該領域に対応するエリアにおけるバックライトの点灯周期を設定する点灯周期制御ステップと、
を含んでいることを特徴とするバックライト制御方法。
【請求項６】
請求項１に記載の表示装置としてコンピュータを機能させるための制御プログラムであって、上記動き検出部、および上記点灯周期制御部としてコンピュータを機能させるための制御プログラム。
【請求項７】
請求項６に記載の制御プログラムを記録したコンピュータ読み取り可能な記録媒体。
【請求項８】
請求項１〜４の何れか１項に記載の表示装置を備えている、
ことを特徴とするテレビジョン受像機。
【発明の詳細な説明】
【技術分野】
【０００１】
本発明は、表示装置、バックライト制御方法、制御プログラム、記録媒体、およびテレビジョン受像機に関する。
【背景技術】
【０００２】
近年、液晶テレビの画質向上技術として、直下型バックライトを用いたバックライトスキャンが採用されている。バックライトスキャンでは、バックライトをスキャン順に順次オン、オフすることにより、ブレを軽減し、動画性能の向上を図るものである。ただし、バックライトスキャンは、表示画像の輝度が落ちる傾向がある。
【０００３】
特許文献１には、表示装置において、画像の動き量に応じて、第１の発光手段および第２の発光手段の発光輝度または発光時間のデューティ比を制御する制御手段を設け、映像の動きによって動的に短い発光と長い発光の発光強度を変えることが開示されている。
【先行技術文献】
【特許文献】
【０００４】
【特許文献１】特開２０１５−４９３３６号公報（２０１５年０３月１６日公開）
【発明の概要】
【発明が解決しようとする課題】
【０００５】
バックライトスキャンを用いる場合、動画性能は向上するが、静止画や動きの遅い動画に関してもバックライトスキャンを行うので、輝度が出せず、暗くなってしまう。
【０００６】
一方、バックライトスキャンを用いない場合、動きの速い動画であっても、バックライトスキャンが行われないので、動画性能が改善されない。
【０００７】
このように、バックライトスキャンを用いるべきか否かは、表示対象の画像に応じて変わり得るので、様々な画像に対して表示画像の表示品位を向上させる技術が求められていた。
【０００８】
本発明は、前記の問題点に鑑みてなされたものであり、その目的は、様々な画像に対して液晶テレビの表示画像の表示品位を向上させることにある。
【課題を解決するための手段】
【０００９】
上記の課題を解決するために、本発明の一態様に係る表示装置は、液晶パネルと、エリアごとに制御可能なバックライトとを備えた表示装置であって、上記液晶パネルの領域ごとに、表示画像の動きを検出する動き検出部と、上記検出した動きに応じて、当該領域に対応するエリアにおけるバックライトの点灯周期を設定する点灯周期制御部と、を備えている。
【００１０】
また、本発明の一態様に係るバックライト制御方法は、液晶パネルと、エリアごとに制御可能なバックライトとを備えた表示装置のバックライト制御方法であって、上記液晶パネルの領域ごとに、表示画像の動きを検出する動き検出ステップと、上記検出した動きに応じて、当該領域に対応するエリアにおけるバックライトの点灯周期を設定する点灯周期制御ステップと、を含んでいる。
【発明の効果】
【００１１】
本発明の一態様によれば、様々な画像に対して液晶テレビの表示画像の表示品位を向上させることができるとの効果を奏する。
【図面の簡単な説明】
【００１２】
【図１】本発明の実施形態１に係るテレビに関する図であり、（ａ）はテレビの外観を示し、（ｂ）はテレビの画面に表示される、バックライト制御の設定メニューを示す。
【図２】本発明の実施形態１に係るテレビの要部構成を示すブロック図である。
【図３】本発明の実施形態１に係るバックライト制御部の要部構成を示すブロック図である。
【図４】本発明の実施形態１に係る静止画および動画に対するバックライト制御を示す図である。
【図５】本発明の実施形態１に係るバックライトにおいて、バックライトスキャンを実施しながら、ローカルディミングを実施する制御を示す図であり、（ａ）はバックライトのエリアを示し、（ｂ）はエリアにおけるバックライトの点灯タイミングを示す。
【図６】本発明の実施形態１に係るバックライトにおいて、バックライトスキャンのエリアと、ローカルディミングのエリアとが混在している場合の制御を示す図であり、（ａ）はバックライトのエリアを示し、（ｂ）は、エリアにおけるバックライトの点灯タイミングを示す。
【図７】本発明の実施形態１に係るバックライト制御部の処理の一例を示すフローチャートである。
【図８】本発明の実施形態１に係るバックライト制御部の処理の切り分けの一例を示す表である。
【図９】本発明の実施形態１に係るバックライト制御の一例を示す図であり、（ａ）は本発明の実施形態１に係るバックライトのエリアを示し、（ｂ）は本発明の実施形態１に係るバックライトの最大デューティ比を９９％にした場合のバックライトの点灯タイミングを示し、（ｃ）は比較例に係るバックライトの最大デューティ比を５０％にした場合のバックライトの点灯タイミングを示す。
【図１０】本発明の実施形態２に係るエッジ型バックライトの点灯制御の一例を示す図であり、（ａ）はエッジ型バックライトのエリアを示し、（ｂ）はエリアにおけるエッジ型バックライトの点灯タイミングを示す。
【発明を実施するための形態】
【００１３】
〔実施形態１〕
以下、本発明の実施形態１について、詳細に説明する。実施形態１では、直下型バックライトの点灯制御について説明する。
【００１４】
（テレビ１の外観とメニュー）
図１（ａ）は、本実施形態に係るテレビ（テレビジョン受像機）１の外観を示す図である。テレビ１は、液晶パネル、エリアごとに制御可能なバックライト、及びチューナを備えている。なお、テレビ１が有する構成のうち、液晶パネル、及びエリアごとに制御可能なバックライトを備えた表示装置も本明細書に記載の発明に含まれる。
【００１５】
図１（ｂ）は、本実施形態に係るテレビ１の画面に表示される、バックライト制御の設定メニューを示す図である。図１（ｂ）に示すように、バックライト制御メニュー２００は、選択肢として、自動モード２０１、ローカルディミングモード（第１のモード）２０２、バックライトスキャンモード（第２のモード）２０３、しない２０４を含んでいる。本実施形態に係る自動モード２０１は、テレビ１において、表示画像の動きの速さ、および、表示画像の輝度に応じてローカルディミング（以下、「ＬＤ」とも呼ぶ）またはバックライトスキャン（以下、「スキャン」とも呼ぶ）を実施するモードである。ローカルディミングは、画像のフリッカを軽減するために、点灯周期を、液晶パネルの書き換え周期の半分の周期に設定するバックライト制御である。バックライトスキャンは、動画のブレを軽減するために、点灯周期を、液晶パネルの書き換え周期と同じ周期に設定するバックライト制御である。
【００１６】
ローカルディミングモード２０２、バックライトスキャンモード２０３、しない２０４は、従来のユーザメニューである。ローカルディミングモード２０２は、ローカルディミングを実施するモードである。バックライトスキャンモード２０３は、バックライトスキャンを実施するモードである。しない２０４は、バックライト制御をしない場合に選択される。
【００１７】
（テレビ１の構成）
図２は、本実施形態に係るテレビ１の要部構成を示す図である。図１に示すように、テレビ１は、液晶パネル１０と、バックライト２０と、表示制御部３０と、バックライト制御部４０とを備える。
【００１８】
液晶パネル１０は、複数の画素を備えている。画素の個数は本実施形態を限定するものではないが、所謂４Ｋテレビとしてテレビ１を実現する場合、横方向２１６０×縦方向３８４０画素から構成される。
【００１９】
バックライト２０は、複数のエリアから構成され、エリアごとに点灯状態を制御可能なように構成されている。より具体的には、バックライト２０は、エリアごとに少なくとも１つの光源（ＬＥＤバックライト２１）を備えており、各光源の点灯周期及び光量は、バックライト制御部４０によって制御される。
【００２０】
表示制御部３０は、入力される映像信号に応じ、液晶パネル１０の画素における光の透過率を制御する。
【００２１】
（バックライト制御部４０の構成）
図３は、本実施形態に係るバックライト制御部４０の要部構成を示すブロック図である。図３に示すように、バックライト制御部４０は、動き検出部２、判定部３、輝度検出部４、点灯周期制御部５、電流算出部６、デューティ比算出部７、ＬＥＤコントローラ８、ＬＥＤドライバ９を備えている。なお、バックライト２０は、複数のＬＥＤバックライト２１を備えている。
【００２２】
動き検出部２は、液晶パネルの領域ごとに、表示画像の動きを検出する。なお、各領域における表示画像を、部分表示画像とも呼称する。判定部３は、動き検出部２による動き検出の結果を参照し、各部分表示画像が動画であるのか、静止画であるのか、動画の場合に、表示画像の動きが速いか、遅いかを判定する。輝度検出部４は、液晶パネルの領域ごとに、表示画像の輝度を検出する。
【００２３】
点灯周期制御部５は、動き検出部２が検出した動きに応じて、該当する領域に対応するエリアにおけるバックライトの点灯周期を設定する。また、点灯周期制御部５は、更に、輝度検出部４が検出した輝度に応じて、該当する領域に対応するエリアにおけるバックライトの点灯周期を設定する構成としてもよい。点灯周期制御部５は、動き検出部２が検出した動きに応じて点灯周期を設定する場合、具体的には、判定部３による判定結果を参照して、エリアにおけるバックライトの点灯周期を設定する。点灯周期制御部５は、エリアごとのバックライトの点灯周期を示す信号を、電流算出部６、デューティ比算出部７、ＬＥＤコントローラ８に出力する。
【００２４】
電流算出部６は、点灯周期制御部５からエリアごとのバックライトの点灯周期を取得し、当該点灯周期を参照して、エリアごとのバックライトの電流値を算出する。ここで言う「電流値」とは、電流のパルス波形における高さのことであり、エリアごとに異なる。電流算出部６は、エリアごとのバックライトの電流値を、デューティ比算出部７、ＬＥＤコントローラ８に出力する。
【００２５】
デューティ比算出部７は、点灯周期制御部５からエリアごとのバックライトの点灯周期を取得し、電流算出部６からエリアごとのバックライトの電流値を取得し、当該点灯周期、および、当該電流値を参照して、エリアごとのバックライトのデューティ比を算出する。ここで言う「デューティ比」とは、電流のパルス波形におけるパルス幅の割合のことであり、エリアごとに異なる。１００％のパルス幅は、予め決められている。デューティ比算出部７は、エリアごとのバックライトのデューティ比をＬＥＤコントローラ８に出力する。
【００２６】
ＬＥＤコントローラ８は、点灯周期制御部５からエリアごとのバックライトの点灯周期を取得し、電流算出部６からエリアごとのバックライトの電流値を取得し、デューティ比算出部７からエリアごとのバックライトのデューティ比を取得する。ＬＥＤコントローラ８は、当該点灯周期、当該電流値、および、当該デューティ比を参照して、ＬＥＤドライバ９に供給するための駆動信号を生成する。
【００２７】
ＬＥＤドライバ９は、バックライトのエリアごとにＬＥＤコントローラ８から提供された駆動信号に基づき、エリアごとのＬＥＤバックライト２１を駆動する。
【００２８】
（バックライト制御の概要）
図４は、本実施形態に係る静止画および動画に対するバックライト制御を示す図である。図４（ａ）、（ｂ）は静止画に対するバックライト制御を示し、図４（ｃ）、（ｄ）は静止画および動画の混在画像に対するバックライト制御を示し、図４（ｅ）、（ｆ）は動画に対するバックライト制御を示す。また、図４（ａ）、（ｃ）、（ｅ）は液晶パネル上の表示画像を示し、図４（ｂ）、（ｄ）、（ｆ）はバックライトのエリアを示す。
【００２９】
図４（ｂ）、（ｄ）に示すように、テレビ１において、静止画の領域に対応するエリアのバックライトには、バックライトスキャンを実施せず、ローカルディミングを実施する。これにより、コントラストを向上させる。
【００３０】
一方、図４（ｄ）、（ｆ）に示すように、テレビ１において、動画（特に、動きの速い画像）の領域に対応するエリアのバックライトには、バックライトスキャンを実施する。これにより、動画性能を向上させる。
【００３１】
上記によれば、画像の動きに応じて動的にバックライトスキャン、および、ローカルディミングを切り換えることにより、表示画像の表示品位を向上させることができる。
【００３２】
（バックライト制御のタイミングチャート）
図５は、本実施形態に係るバックライトにおいて、バックライトスキャンを実施しながら、ローカルディミングを実施する制御を示す図である。
【００３３】
図５（ａ）は、バックライトのエリアＡ１〜Ａ９を示す図である。図５（ａ）に示すように、エリアＡ１〜Ａ３が上側の行に配置され、エリアＡ４〜Ａ６が中央の行に配置され、エリアＡ７〜Ａ９が下側の行に配置される。
【００３４】
図５（ｂ）は、エリアＡ１〜Ａ９におけるバックライト点灯のタイミングチャートである。テレビ１は、バックライトスキャンにおいて、液晶パネルの書き込み周期に合わせて垂直方向にスキャンを実施する。テレビ１は、それと合わせたローカルディミングにおいて、９個のエリアごとにバックライトの電流、デューティ比を調整する。
【００３５】
図６は、本実施形態に係るバックライトにおいて、バックライトスキャンのエリアと、ローカルディミングのエリアとが混在している場合の制御を示す図である。
【００３６】
図６（ａ）は、バックライトのエリアＡ１〜Ａ９を示す図である。これは、図５（ａ）と同様である。
【００３７】
図６（ｂ）は、エリアＡ１〜Ａ９におけるバックライト点灯のタイミングチャートである。テレビ１において、エリアＡ１〜Ａ４には、バックライトスキャンを実施し、デューティ比の上限値を５０％に制限し、バックライト点灯の周波数を、液晶パネルの駆動周波数に合わせて１２０Ｈｚに設定する。換言すれば、バックライト点灯の周期を１／１２０秒に設定する。一方、エリアＡ５〜Ａ９には、ローカルディミングを実施し、デューティ比の上限値を９９％に制限し、バックライト点灯の周波数を、液晶パネルの駆動周波数よりも高くなるように２４０Ｈｚに設定する。換言すれば、バックライト点灯の周期を１／２４０秒に設定する。
【００３８】
図７は、本実施形態に係るバックライト制御部４０の処理の一例を示すフローチャートである。本処理は、主として点灯周期制御部５が、液晶パネルの領域ごとに、部分表示画像の動きおよび輝度に応じて点灯周期を変更する処理である。
【００３９】
図７に示すように、まず、点灯周期制御部５は、判定部３による判定結果により、部分表示画像が動画であるか否かを判断する（Ｓ７０１）。部分表示画像が動画である場合に（Ｓ７０１のＹＥＳ）、点灯周期制御部５は、判定部３による判定結果により、部分表示画像の動きが速いか否かを判断する（Ｓ７０２）。部分表示画像の動きが速い場合に（Ｓ７０２のＹＥＳ）、点灯周期制御部５は、判定部３による判定結果により、部分表示画像の輝度が中低輝度であるか否かを判断する（Ｓ７０３）。
【００４０】
部分表示画像の輝度が中低輝度である場合に（Ｓ７０３のＹＥＳ）、すなわち、動き検出部２が検出した表示画像の動きの速さが所定の値以上であり、かつ、輝度検出部４が検出した表示画像の輝度の大きさが所定の輝度値よりも小さい場合に、点灯周期制御部５は、点灯周期を、液晶パネルの書き換え周期と同じ周期に設定するバックライトスキャンモード（第２のモード）を適用する（Ｓ７０４）。
【００４１】
部分表示画像が動画でない場合（Ｓ７０１のＮＯ）、および、部分表示画像が速くない場合に（Ｓ７０２のＮＯ）、すなわち、動き検出部２が検出した表示画像の動きの速さが所定の値よりも小さい場合に、点灯周期制御部５は、点灯周期を、液晶パネルの書き換え周期の半分の周期に設定するローカルディミングモード（第１のモード）を適用する（Ｓ７０５）。
【００４２】
さらに、部分表示画像の輝度が中低輝度でない場合（Ｓ７０３のＮＯ）、すなわち、動き検出部２が検出した表示画像の速さが所定の値以上であり、かつ、輝度検出部４が検出した表示画像の輝度の大きさが所定の輝度値以上である場合に、点灯周期制御部５は、ローカルディミングモードを優先して適用する（Ｓ７０５）。
【００４３】
図８は、本実施形態に係るバックライト制御部４０の処理の切り分けの一例を示す表である。図８に示すように、部分表示画像が遅い動画、または、静止画である場合には、部分表示画像の輝度に関わらず、点灯周期制御部５は、ローディングモードを適用する。
【００４４】
部分表示画像が速い動画であり、かつ、高輝度である場合に、点灯周期制御部５は、ローディングモードを適用する。部分表示画像が速い動画であり、かつ、中輝度、または、低輝度である場合に、点灯周期制御部５は、バックライトスキャンモードを適用する。
【００４５】
なお、図７、図８の説明では、表示画像の輝度を高中低の３段階に分けて判断するように記載したが、表示画像の輝度の段階数は、３段階に限定されず、任意である。例えば、表示画像の輝度を５段階に分けてもよいし、７段階に分けてもよい。
【００４６】
また、図７、図８の説明では、表示画像の動きを速い、遅いの２段階に分けて判断するように記載したが、表示画像の動きの速さの段階数は、２段階に限定されず、任意である。例えば、表示画像の動きの速さを３〜５段階に分けてもよい。
【００４７】
図９は、本実施形態に係るバックライト制御の一例を示す図である。
【００４８】
図９（ａ）は、本実施形態に係るバックライトのエリアＡ１〜Ａ９を示す図である。これは、図５（ａ）と同様である。
【００４９】
ここでは、エリアＡ１に対応する表示画像が高輝度であり、エリアＡ２に対応する表示画像が低輝度である場合のバックライト制御について説明する。
【００５０】
図９（ｂ）は、本実施形態に係るバックライトの最大デューティ比を９９％にした場合のバックライト点灯のタイミングチャートである。図９（ｃ）は、比較例に係るバックライトの最大デューティ比を５０％にした場合のバックライト点灯のタイミングチャートである。
【００５１】
本実施形態に係るバックライト制御部４０は、表示画像が高輝度であるエリアＡ１に対して、ローカルディミングのみを行う。また、バックライト制御部４０は、表示画像が低輝度であるエリアＡ２に対して、デューティ比を小さくすることにより、バックライトスキャンの効果を奏する。
【００５２】
なお、比較例に係るバックライト制御部は、表示画像が高輝度であるエリアＡ１に対して、バックライトスキャンおよびローカルディミングを同時に行う。
【００５３】
〔実施形態２〕
以下、本発明の実施形態２について、図１０を用いて詳細に説明する。なお、説明の便宜上、実施形態１にて説明した部材と同じ機能を有する部材については、同じ符号を付記し、その説明を省略する。実施形態１では直下型バックライトの点灯制御について説明したが、実施形態２ではエッジ型バックライトの点灯制御について説明する。
【００５４】
エッジ型バックライトについても、直下型バックライトと同様に、液晶パネル１０と、エリアごとに制御可能なバックライト２０とを備えたテレビ１において、動き検出部２が液晶パネル１０の領域ごとに、表示画像の動きを検出し、点灯周期制御部５が、検出した動きに応じて、当該領域に対応するエリアにおけるバックライトの点灯周期を設定する。
【００５５】
図１０は、本実施形態に係るエッジ型バックライトの点灯制御の一例を示す図である。
【００５６】
図１０（ａ）は、エッジ型バックライトのエリアＢ１〜Ｂ３を示す図である。エッジ型バックライト（例えば、３個のバックライト）は画面の左辺に設置され、図１０（ａ）に示すように、エリアＢ１〜Ｂ３は、それぞれ上中下に分割され、横長の形状になる。
【００５７】
図１０（ｂ）は、エリアＢ１〜Ｂ９におけるエッジ型バックライト点灯のタイミングチャートである。テレビ１において、エリアＢ１には、バックライトスキャンを実施し、デューティ比の上限値を５０％に制限し、バックライト点灯の周波数を、液晶パネルの駆動周波数に合わせて１２０Ｈｚに設定する。換言すれば、バックライト点灯の周期を１／１２０秒に設定する。
【００５８】
エリアＢ２、Ｂ３には、ローカルディミングを実施し、デューティ比の上限値を９９％に制限し、バックライト点灯の周波数を、液晶パネルの駆動周波数よりも高くなるように２４０Ｈｚに設定する。換言すれば、バックライト点灯の周期を１／２４０秒に設定する。
【００５９】
なお、デューティ比の上限値は５０％、９９％に限定されず、それぞれ、例えば、４０〜６０％の何れか、及び、９０〜９９％の何れかの値に設定してもよいし、それ以外の値であってもよい。
【００６０】
また、バックライト点灯の周波数は１２０Ｈｚ、２４０Ｈｚに限定されず、６０Ｈｚ、１８０Ｈｚ、３６０Ｈｚなどであってもよい。同様に、バックライト点灯の周期は１／１２０秒、１／２４０秒に限定されず、１／６０秒、１／１８０秒、１／３６０秒などであってもよい。
【００６１】
上記によれば、エッジ型バックライトについても、直下型バックライトと同様の点灯制御が可能になる。
【００６２】
〔ソフトウェアによる実現例〕
テレビ１の制御ブロック（特に、動き検出部２からデューティ比算出部７）は、集積回路（ＩＣチップ）等に形成された論理回路（ハードウェア）によって実現してもよいし、ＣＰＵ（Central Processing Unit）を用いてソフトウェアによって実現してもよい。
【００６３】
後者の場合、テレビ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６４】
〔まとめ〕
本発明の態様１に係る表示装置（テレビ１）は、液晶パネルと、エリアごとに制御可能なバックライトとを備えた表示装置であって、上記液晶パネルの領域ごとに、表示画像の動きを検出する動き検出部（２）と、上記検出した動きに応じて、当該領域に対応するエリアにおけるバックライトの点灯周期を設定する点灯周期制御部（５）と、を備えている。
【００６５】
上記の構成によれば、液晶パネルの領域ごとに検出した表示画像の動きに応じて、当該領域に対応するエリアにおけるバックライトの点灯周期を設定するので、様々な画像に対して液晶テレビの表示画像の表示品位を向上させることができる。
【００６６】
本発明の態様２に係る表示装置は、上記態様１において、上記液晶パネルの領域ごとに、表示画像の輝度を検出する輝度検出部（４）をさらに備えており、上記点灯周期制御部が、上記検出した動き、および、上記検出した輝度に応じて、上記点灯周期を設定してもよい。
【００６７】
上記の構成によれば、液晶パネルの領域ごとに、表示画像の動き、および、表示画像の輝度に応じて、当該領域に対応するエリアにおけるバックライトの点灯周期を設定するので、様々な画像に対して液晶テレビの表示画像の表示品位をさらに向上させることができる。
【００６８】
本発明の態様３に係る表示装置は、上記態様２において、上記点灯周期制御部が、上記検出した動きの速さが所定の値よりも小さい場合に、上記点灯周期を、上記液晶パネルの書き換え周期の半分の周期に設定する第１のモードを適用してもよい。
【００６９】
上記の構成によれば、静止画、および、動きが遅い動画の場合に、バックライトの点灯周期を液晶パネルの書き換え周期の半分の周期に設定するので、フリッカを軽減することができる。
【００７０】
本発明の態様４に係る表示装置は、上記態様３において、上記点灯周期制御部が、上記検出した動きの速さが所定の値以上であり、かつ、上記検出した輝度の大きさが所定の輝度値よりも小さい場合に、上記点灯周期を、上記液晶パネルの書き換え周期と同じ周期に設定する第２のモードを適用し、上記検出した動きの速さが所定の値以上であり、かつ、上記検出した輝度の大きさが所定の輝度値以上である場合に、上記第１のモードを適用してもよい。
【００７１】
上記の構成によれば、動きが速く、輝度が低い動画の場合に、バックライトの点灯周期を液晶パネルの書き換え周期と同じ周期に設定するので、ブレを軽減することができる。動きが速く、輝度が高い動画の場合に、バックライトの点灯周期を液晶パネルの書き換え周期の半分の周期に設定するので、フリッカを軽減することができる。
【００７２】
本発明の態様５に係るバックライト制御方法は、液晶パネルと、エリアごとに制御可能なバックライトとを備えた表示装置のバックライト制御方法であって、上記液晶パネルの領域ごとに、表示画像の動きを検出する動き検出ステップと、上記検出した動きに応じて、当該領域に対応するエリアにおけるバックライトの点灯周期を設定する点灯周期制御ステップと、を含んでいる。
【００７３】
本発明の態様６に係るテレビジョン受像機（テレビ１）は、請求項１〜４の何れか１項に記載の表示装置を備えている。
【００７４】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置の制御プログラム、およびそれを記録したコンピュータ読み取り可能な記録媒体も、本発明の範疇に入る。
【００７５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７６】
１  テレビ（表示装置、テレビジョン受像機）
２  動き検出部
３  判定部
４  輝度検出部
５  点灯周期制御部
２０  バックライト
２１  ＬＥＤバックライト
【図１】
2018045151.tif 000003
【図２】
2018045151.tif 000004
【図３】
2018045151.tif 000005
【図４】
2018045151.tif 000006
【図５】
2018045151.tif 000007
【図６】
2018045151.tif 000008
【図７】
2018045151.tif 000009
【図８】
2018045151.tif 000010
【図９】
2018045151.tif 000011
【図１０】
2018045151.tif 000012